(57)【要約】【課題】保冷剤として使用した後は洗剤として使用することができ、ゴミ廃棄量の削減に貢献することのできる洗剤兼用の保冷剤製品を提供する。【解決手段】液体洗剤とセルロースと水を混合して保冷剤２を製造し、当該保冷剤２を、外装容器３に密閉状態で収納する。これにより、保冷剤として使用した後、保冷剤を外装容器から取り出して洗剤として使用することができる。また、前記保冷剤２に、グリコールを加える。さらに、前記液体洗剤として、天然油脂や微生物発酵代謝物を原料とする植物系天然洗剤を使用する。【選択図】      図１
2004307571.tif 000002
【特許請求の範囲】
【請求項１】
液体洗剤とセルロースと水を混合して保冷剤を製造し、該保冷剤を、外装容器に密閉状態で収納してなることを特徴とする洗剤兼用保冷剤製品。
【請求項２】
前記保冷剤に、グリコールを加えてなることを特徴とする請求項１に記載の洗剤兼用保冷剤製品。
【請求項３】
前記液体洗剤として、植物系天然洗剤を使用してなることを特徴とする請求項１または２に記載の洗剤兼用保冷剤製品。
【発明の詳細な説明】
【０００１】
【発明の属する技術分野】
本発明は、保冷剤として使用した後に、洗剤として使用することのできる洗剤兼用の保冷剤製品に関するものである。
【０００２】
【従来の技術】
従来の保冷剤は、一般に、水と高吸水性ポリマー類を混合して製造され、合成樹脂製の外装容器に収納されて製品として販売されている。そして、保冷剤として使用した後は、そのまま廃棄されている。
この従来の保冷剤製品は、通常、いわゆる使い捨てのものが多いため、廃棄される量も多く、ゴミ処理問題の要因の一つでもある。
【０００３】
こうした問題点に鑑みて、この保冷剤製品を、保冷剤として使用した後に消臭剤として再使用することができるようにし、ゴミの廃棄量を削減することが創案されている（例えば、特許文献１参照）。
【０００４】
【特許文献１】
特開２００１−７２９６４号公報
【０００５】
【発明が解決しようとする課題】
しかしながら、この従来の保冷剤製品も、消臭剤として使用した後は、それまでと同様にゴミとして廃棄されるので、ゴミの廃棄量を減少させるための根本的な解決策とはなっていない。
【０００６】
一方、現代の暮らしにおいては、化学合成（石油系界面活性剤）された洗濯用洗剤や食器洗浄用洗剤が日々大量に使用されていて、人体を始め河川の汚染並びに生態系に少なからず悪影響を及ぼしている。
植物系天然洗剤を使用することにより、こうした事態を改善する余地がある。
【０００７】
そこで、本発明の目的とするところは、保冷剤として使用した後は洗剤として使用することができ、ゴミ廃棄量の削減に貢献することのできる洗剤兼用の保冷剤製品を提供することにある。
【０００８】
【課題を解決するための手段】
上記の目的を達成するために、本発明の請求項１に記載の洗剤兼用保冷剤製品（１）は、液体洗剤とセルロースと水を混合して保冷剤（２）を製造し、当該保冷剤（２）を、外装容器（３）に密閉状態で収納してなることを特徴とする。
【０００９】
また、請求項２に記載の洗剤兼保冷剤製品（１）は、前記保冷剤（２）に、グリコールを加えてなることを特徴とする。
【００１０】
さらに、請求項３に記載の洗剤兼用保冷剤製品（１）は、前記液体洗剤として、天然油脂や微生物発酵代謝物を原料とする、例えば、ヤシ油、ナタネ油、ゴマ油、鯨油、ナッツ油、レシチン、ヒマシ油、ロウ等を始めとする植物系天然洗剤を使用してなることを特徴とする。
【００１１】
なお、カッコ内の記号は、図面および後述する発明の実施の形態に記載された対応要素または対応事項を示す。
【００１２】
本発明の請求項１に記載の洗剤兼用保冷剤製品によれば、液体洗剤とセルロースと水を混合して保冷剤を製造し、当該保冷剤を外装容器に密閉状態で収納したので、保冷剤として使用した後、保冷剤を外装容器から取り出して洗剤として使用することができる。
これにより、保冷剤を全て消費することができ、ゴミとして廃棄する必要がない。
【００１３】
すなわち、この保冷剤は、液体洗剤とセルロースと水を混合して製造しており、多量の水分を含有するので、それを冷凍し、まず、保冷剤として使用することができる。
なお、セルロースは増粘作用を有するので、保冷剤の粘度を高め、それにより解凍速度を遅くして保冷時間を長く保つはたらきをする。また、この保冷剤は液体洗剤を含んでいるので、通常の洗濯用洗剤または食器用洗剤として使用することができる。
【００１４】
また、請求項２に記載の洗剤兼用保冷剤製品によれば、請求項１に記載の発明の作用効果に加えて、保冷剤にグリコールを加えたので、洗剤としての使用性を高めることができる。
【００１５】
すなわち、セルロールの持つ増粘作用によって保冷剤中に多数の粒ができる。グリコールを加えたことにより、その粒子拡散作用によって粒を構成する粒子を拡散して全体の粘度が均一な半練り状の保冷剤とすることができる。
従って、洗剤として使用する場合に、衣類や食器に良く馴染む。また、粒が衣類や食器に残存してしまうといったこともない。
【００１６】
またさらに、請求項３に記載の洗剤兼用保冷剤製品によれば、請求項１および２に記載の発明の作用効果に加えて、液体洗剤として、天然油脂や微生物発酵代謝物を原料とする植物系天然洗剤を使用したので、保冷剤として使用する場合および洗剤として使用する場合の両方において、人体に悪影響を与えることがなく、安全性に優れる。
【００１７】
【発明の実施の形態】
図１および図２を参照して、本発明の実施形態に係る洗剤兼用保冷剤製品１について説明する。図１は洗剤兼用保冷剤製品１を示す斜視図であり、図２はそのＡ−Ａ線断面図である。
【００１８】
本発明の実施形態に係る洗剤兼用保冷剤製品１は、液体洗剤、セルロース、グリコールおよび水を混合して保冷剤２を製造し、その保冷剤２を合成樹脂製（ナイロンポリエチレン製）で袋状の外装容器３に密閉状態で収納している。
また、この液体洗剤は、天然油脂や微生物発酵代謝物を原料とするトルマリン（電気石）で特殊処理した洗剤をアルカリイオン水でブレンド処理した植物系天然洗剤を使用している。なお、外装容器３は、ナイロンポリエチレン製に限定されるものではなく、また、その形状も限定されない。ここで、洗濯用洗剤として使用する場合には液体洗剤に酸素系漂白天然洗浄剤を加える。
【００１９】
この実施形態における保冷剤２は、植物系天然洗剤（酸素系漂白天然洗浄剤を加える場合はこれも含む）とセルロースおよびグリコールの合計量を全体の３０％とし、水の量を７０％として製造している。
【００２０】
本実施形態に係る洗剤兼用保冷剤製品１は、植物系天然洗剤（酸素系漂白天然洗浄剤を含む場合もある）、セルロース、グリコールおよび水を混合して保冷剤２を製造し、その保冷剤２を外装容器３に密閉状態で収納したので、保冷剤として使用した後、洗剤としても使用することができる。
また、グリコールのはたらきによって、保冷剤２を粘度の均一な半練り状態とすることができるので、洗剤としての使用性を高めることができる。
さらに、植物系天然洗剤を使用したので、保冷剤として使用する場合および洗剤として使用する場合、共に、人体及び環境に対し安全性に優れる。
【００２１】
【発明の効果】
本発明の請求項１に記載の洗剤兼用保冷剤製品によれば、液体洗剤とセルロースと水を混合して保冷剤を製造し、当該保冷剤を外装容器に密閉状態で収納したので、保冷剤として使用した後、保冷剤を外装容器から取り出して洗剤として使用することができる。
これにより、保冷剤をゴミとして廃棄する必要がなく、よって、ゴミの廃棄量を削減することができる。
【００２２】
また、請求項２に記載の洗剤兼用保冷剤製品によれば、請求項１に記載の発明の作用効果に加えて、保冷剤にグリコールを加えたので、洗剤としての使用性を高めることができる。
【００２３】
またさらに、請求項３に記載の洗剤兼用保冷剤製品によれば、請求項１および２に記載の発明の作用効果に加えて、液体洗剤として、天然油脂や微生物発酵代謝物を原料とする植物系天然洗剤を使用したので、保冷剤として使用する場合および洗剤として使用する場合の両方において、人体及び環境に対し安全性に優れる。
【図面の簡単な説明】
【図１】本発明の実施形態に係る洗剤兼用保冷剤製品を示す斜視図である。
【図２】図１のＡ−Ａ線断面図である。
【符号の説明】
１      洗剤兼用保冷剤製品
２      保冷剤
３      外装容器
【図１】
2004307571.tif 000003
【図２】
2004307571.tif 000004